(57)【要約】【課題】  既存の機器を、複数の機器を制御可能なリモコン装置による制御の対象とするためのアダプタを提供する。【解決手段】  リモコンアダプタ２００は、外部から信号の入力を受け付ける受信回路４１０と、フラッシュメモリ４３０と、受信された信号とフラッシュメモリ４３０に格納されているデータとに基づいてリモコン装置に対して送信される信号を生成する制御回路４２０と、生成された信号を発信する発信回路４４０と、バッテリ４５０とを含む。制御回路４２０は、受信回路４１０からの信号に含まれる情報を取得する受信信号処理回路４２２と、取得された情報とフラッシュメモリ４３０に格納されているデータとに基づいて識別情報を生成する光ＩＤ信号生成回路４２４とを含む。【選択図】        図４
2007089056.tif 000002
【特許請求の範囲】
【請求項１】
被制御機器を備え、前記被制御機器は、
前記被制御機器の動作を制御するための制御信号を受信する受信部と、
前記制御信号によって規定される動作を前記被制御機器に実行させる制御手段とを含み、
光信号を発信する光信号発信装置をさらに備え、前記光信号発信装置は、
前記光信号発信装置を識別するための識別情報を格納する記憶部と、
前記識別情報を含む光信号を生成する光信号生成手段と、
前記生成手段により生成された光信号を点滅光として発信する発信手段とを含み、
リモコン装置をさらに備え、前記リモコン装置は、
前記被制御機器を撮影して映像信号を出力する撮像手段を含み、前記撮像手段は複数の画素を有し、
画像を表示領域に表示する表示手段と、
前記複数の画素の各々からの信号をそれぞれ読み出す駆動手段とを含み、前記駆動手段は、前記表示領域に応じて予め定められた部分領域に対応する前記複数の画素の各々からの各信号を読み出し、かつ、前記表示領域の全体に対応する各前記画素を読み出す場合よりも高速に、前記部分領域に対応する各前記画素からの信号を読み出し、
前記被制御機器の撮影に応答して前記部分領域に対応する各前記画素から読み出される信号に基づいて、前記点滅光の点滅状況を検出する検出手段と、
前記点滅状況に基づいて前記識別情報を取得する識別情報取得手段と、
複数の被制御機器の各々によって実現される各動作を規定するための複数の前記制御データを格納する制御データ記憶手段とを含み、各前記制御データと前記識別情報とは関連付けられており、
前記制御データ記憶手段に格納されている各前記制御データの中から、前記識別情報に関連付けられている前記制御データを取得する制御データ取得手段と、
指示の入力を受け付ける入力手段と、
前記被制御機器による動作を指令する指示の入力が前記入力手段により受け付けられたことに応答して、前記制御データ取得手段により取得された制御データを用いて前記被制御機器の動作を制御するための制御信号を生成する生成手段と、
前記生成手段によって生成された制御信号を出力する出力手段とを含む、機器の遠隔制御システム。
【請求項２】
光信号を発信する光信号発信装置を備え、前記光信号発信装置は、
前記光信号発信装置を識別するための識別情報を格納する記憶部と、
前記識別情報を含む光信号を生成する光信号生成手段と、
前記生成手段により生成された光信号を点滅光として発信する発信手段とを含み、
被制御機器を遠隔操作するためのリモコン装置をさらに備え、前記被制御機器は、前記リモコン装置により送信された制御信号を受信すると前記制御信号によって規定される動作を実行し、前記リモコン装置は、
前記被制御機器を撮影して映像信号を出力する撮像手段を含み、前記撮像手段は複数の画素を有し、
画像を表示領域に表示する表示手段と、
前記複数の画素の各々からの信号をそれぞれ読み出す駆動手段とを含み、前記駆動手段は、前記表示領域に応じて予め定められた部分領域に対応する前記複数の画素の各々からの各信号を読み出し、かつ、前記表示領域の全体に対応する各前記画素を読み出す場合よりも高速に、前記部分領域に対応する各前記画素からの信号を読み出し、
前記被制御機器の撮影に応答して前記部分領域に対応する各前記画素から読み出される信号に基づいて、前記点滅光の点滅状況を検出する検出手段と、
前記点滅状況に基づいて前記識別情報を取得する識別情報取得手段と、
複数の被制御機器の各々によって実現される各動作を規定するための複数の前記制御データを格納する制御データ記憶手段とを含み、各前記制御データと前記識別情報とは関連付けられており、
前記制御データ記憶手段に格納されている各前記制御データの中から、前記識別情報に関連付けられている前記制御データを取得する制御データ取得手段と、
指示の入力を受け付ける入力手段と、
前記被制御機器による動作を指令する指示の入力が前記入力手段により受け付けられたことに応答して、前記制御データ取得手段により取得された制御データを用いて前記被制御機器の動作を制御するための制御信号を生成する生成手段と、
前記生成手段によって生成された制御信号を出力する出力手段とを含む、機器の遠隔制御システム。
【請求項３】
被制御機器を備え、前記被制御機器は、
前記被制御機器の動作を制御するための制御信号を受信する制御信号受信部と、
前記制御信号によって規定される動作を前記被制御機器に実行させる制御手段とを含み、
光信号を発信する光信号発信装置をさらに備え、前記光信号発信装置は、
前記光信号発信装置を識別するための識別情報を格納する記憶部と、
前記識別情報を含む光信号を生成する光信号生成手段と、
前記生成手段により生成された光信号を点滅光として発信する発信手段とを含み、
リモコン装置をさらに備え、前記リモコン装置は、
前記光信号発信装置により発信された光信号を受信する受光手段と、
前記受光手段により受信された光信号を解析して前記識別情報を取得する解析手段と、
前記解析手段により取得された識別情報に基づいて、前記被制御機器によって実現される動作を規定するための制御データを取得する制御データ取得手段と、
外部から指示の入力を受け付ける入力手段と、
前記取得手段により取得された制御データと前記指示とに基づいて、前記被制御機器の動作を制御するための制御信号を生成する制御信号生成手段と、
前記制御信号生成手段によって生成された制御信号を出力する出力手段とを含む、機器の遠隔制御システム。
【請求項４】
光信号を発信する光信号発信装置を備え、前記光信号発信装置は、
前記光信号発信装置を識別するための識別情報を格納する記憶部と、
前記識別情報を含む光信号を生成する光信号生成手段と、
前記生成手段により生成された光信号を点滅光として発信する発信手段とを含み、
被制御機器を遠隔操作するためのリモコン装置をさらに備え、前記被制御機器は、前記リモコン装置により送信された制御信号を受信すると前記制御信号によって規定される動作を実行し、前記リモコン装置は、
前記光信号発信装置により発信された光信号を受信する受光手段と、
前記受光手段により受信された光信号を解析して前記識別情報を取得する解析手段と、
前記解析手段により取得された識別情報に基づいて、前記被制御機器によって実現される動作を規定するための制御データを取得する制御データ取得手段と、
外部から指示の入力を受け付ける入力手段と、
前記取得手段により取得された制御データと前記指示とに基づいて、前記被制御機器の動作を制御するための制御信号を生成する制御信号生成手段と、
前記制御信号生成手段によって生成された制御信号を出力する出力手段とを含む、機器の遠隔制御システム。
【請求項５】
前記リモコン装置は、
前記入力手段を介して入力された指示に基づいて、前記識別情報の送信の要求を含む要求信号を生成する要求信号生成手段と、
前記要求信号を発信する発信手段とをさらに含み、
前記光信号発信装置は、
前記要求信号を受信する受信手段と、
前記受信手段により受信された要求信号から、前記識別情報の送信の要求を取得する要求取得手段とをさらに含み、
前記光信号生成手段は、前記送信の要求が取得されたことに応答して前記光信号を生成する、請求項３または４に記載の機器の遠隔制御システム。
【請求項６】
前記要求信号の発信のために前記発信手段によって使用される素子と、前記制御信号の出力のために前記出力手段によって使用される素子とは同一である、請求項５に記載の機器の遠隔制御システム。
【請求項７】
前記光信号発信装置は、
前記リモコン装置により出力された制御信号を受信する受信手段と、
前記受信手段によって受信された制御信号を前記被制御機器の前記制御信号受信部に向けて発信する制御信号発信手段とをさらに含む、請求項３または４に記載の機器の遠隔制御システム。
【請求項８】
前記制御信号発信手段は、前記制御信号受信部の前面に配置されている、請求項７に記載の機器の遠隔制御システム。
【請求項９】
前記受光手段は、前記被制御機器を撮影して映像信号を出力する撮像手段を含み、前記撮像手段は複数の画素を有し、
前記リモコン装置は、
画像を表示領域に表示する表示手段と、
前記複数の画素の各々からの各信号を読み出す駆動手段とをさらに含み、前記駆動手段は、前記表示領域に応じて予め定められた部分領域に対応する前記複数の画素の各々からの各信号を読み出し、かつ、前記表示領域の全体に対応する各前記画素を読み出す場合よりも高速に、前記部分領域に対応する各前記画素からの信号を読み出し、
前記解析手段は、
前記被制御機器の撮影に応答して前記部分領域に対応する各前記画素から読み出される信号に基づいて、前記点滅光の点滅状況を検出する検出手段と、
前記点滅状況に基づいて前記識別情報を取得する識別情報取得手段とを含む、請求項３または４に記載の機器の遠隔制御システム。
【請求項１０】
前記リモコン装置は、複数の被制御機器の各々によって実現される各動作を規定するための複数の前記制御データを格納する制御データ記憶手段をさらに含み、各前記制御データと前記識別情報とは関連付けられており、
前記制御データ取得手段は、前記制御データ記憶手段に格納されている各前記制御データの中から、前記識別情報に関連付けられている前記制御データを取得する、請求項３または４に記載の機器の遠隔制御システム。
【請求項１１】
前記リモコン装置は、通信回線を介して、複数の被制御機器の各々によって実現される各動作を規定するための複数の前記制御データを提供する情報提供装置と通信する通信手段をさらに含み、
前記制御データ取得手段は、前記情報提供装置に前記識別情報を送信することにより、前記被制御機器の制御データを取得する、請求項３または４に記載の機器の遠隔制御システム。
【請求項１２】
リモコン装置に光信号を発信するための光信号発信装置であって、前記リモコン装置は、前記光信号発信装置に対応付けられている被制御機器を識別するための識別情報を含む点滅光を前記光信号発信装置から受信し、前記点滅光から前記識別情報を取得し、前記被制御機器の動作を制御するために前記識別情報に関連付けられている制御データを前記被制御機器に送信可能であり、前記光信号発信装置は、
前記被制御機器に前記光信号発信装置を取り付けるための装着手段と、
前記識別情報を格納する記憶部と、
前記識別情報を含む光信号を生成する生成手段と、
前記生成手段により生成された光信号を点滅光として発信する発信手段とを備える、光信号発信装置。
【請求項１３】
リモコン装置に光信号を発信するための光信号発信装置であって、前記リモコン装置は、前記光信号発信装置に関連付けられる特定情報を含む点滅光を前記光信号発信装置から受信し、前記点滅光から前記特定情報を取得し、前記被制御機器の動作を制御するために前記特定情報に関連付けられている制御データを前記被制御機器に送信可能であり、前記光信号発信装置は、
前記特定情報を格納する記憶部と、
前記特定情報を含む光信号を生成する生成手段と、
前記生成手段により生成された光信号を点滅光として発信する発信手段とを備える、光信号発信装置。
【請求項１４】
前記特定情報は、前記光信号発信装置に対応付けられている被制御機器を識別するための情報を含む、請求項１３に記載の光信号発信装置。
【請求項１５】
前記特定情報は、前記光信号発信装置を識別するための情報を含む、請求項１３に記載の光信号発信装置。
【請求項１６】
外部から情報の入力を受け付ける入力手段をさらに備え、
前記記憶部は、前記入力手段を介して入力された情報を前記特定情報として格納する、請求項１３に記載の光信号発信装置。
【請求項１７】
前記被制御機器に前記光信号発信装置を取り付けるための装着手段をさらに備える、請求項１３に記載の光信号発信装置。
【請求項１８】
前記識別情報の送信の要求を含む要求信号を受信する受信手段をさらに備え、前記要求信号は、前記リモコン装置により送信され、
前記受信手段により受信された要求信号から、前記識別情報の送信の要求を取得する要求取得手段を備え、
前記生成手段は、前記送信の要求が取得されたことに応答して前記光信号を生成する、請求項１３に記載の光信号発信装置。
【請求項１９】
前記被制御機器は，前記被制御機器の動作を制御するために前記リモコン装置により送信される制御信号を受信する制御信号受信部を備え、
前記光信号発信装置は、
前記リモコン装置により出力された前記制御信号を受信する受信手段と、
前記受信手段によって受信された制御信号を前記制御信号受信部に向けて発信する制御信号発信手段とをさらに備える、請求項１３に記載の光信号発信装置。
【請求項２０】
前記制御信号受信部の前面に前記光信号発信装置を取り付けるための装着手段をさらに備える、請求項１９に記載の光信号発信装置。
【発明の詳細な説明】
【技術分野】
【０００１】
本発明は機器の遠隔制御システムおよび光信号発信装置に関する。本発明は、より特定的には、識別情報を発信可能な複数の機器のいずれかを認識することにより特定の機器を制御するリモコン装置に対して、識別情報を発信する機能を有さない機器を当該リモコン装置を用いて制御するための技術に関する。
【背景技術】
【０００２】
テレビ、ＶＴＲ（Video  Tape  Recorder）その他の機器は、リモコン装置からの制御信号によって制御可能である。リモコン装置は、通常、特定の機器に付属するものとして構成されている。あるいは、機器の製造者ごとに予め定められた固有のデータの入力を受け付けて、当該データに対応する機器のリモコン装置として機能するものもある。
【０００３】
ここで、機器とリモコン装置とを含むリモコンシステムに関する技術は、たとえば、２００４−４８４６７号公報（特許文献１）、特表２００５−５０６７８７号公報（特許文献２）、特開２０００−１７５２７６号公報（特許文献３）に開示されている。また、一つのリモコン装置で複数の機器を制御するための技術は、たとえば、特開２０００−５０３６９号公報（特許文献４）に開示されている。
【特許文献１】特開２００４−４８４６７号公報
【特許文献２】特表２００５−５０６７８７号公報
【特許文献３】特開２０００−１７５２７６号公報
【特許文献４】特開２０００−５０３６９号公報
【発明の開示】
【発明が解決しようとする課題】
【０００４】
一つのリモコン装置によって複数の機器を遠隔操作可能にするためには、従来のリモコン装置の構成の変更と機器の構成の変更とが必要になる。たとえば、リモコン装置については、特定の機器を制御するための制御信号を生成し、その信号を発信する機能が求められる。
【０００５】
また、機器については、当該リモコン装置から発信される信号に応じて特定の動作を実行するためには、当該機器とリモコン装置との関連付けが必要になる。この場合、関連付けは、たとえばＶＴＲ、ＨＤＤレコーダその他の機器の説明書に記載されたメーカーコードを参照して、機器のユーザが予め定められた設定操作を行なうことが求められる場合が多い。そのため、複数の機器を制御可能なリモコン装置を特定の機器のための装置に容易に設定することができない場合があった。
【０００６】
また、上述のような機器以外に、たとえばエアコンその他の機器によっては、これらの機器の説明書には、複数のメーカーコードが予め準備されていない場合もある。この場合には、これらの機器は、当該リモコン装置による遠隔操作の対象とならず、利便性の向上に限界もある。
【０００７】
さらに、当該リモコン装置による遠隔制御の対象とするために、機器そのものにリモコン装置が必要とする信号を発信する機能を追加することも考えられる。この場合、今後新たに生産される機器については、設計の変更により対応が可能であっても、既に完成品として生産された機器に上記機能を追加することはきわめて困難である。
【０００８】
本発明は、上述の問題点を解決するためになされたものであって、その第１の目的は、既存の機器と、機器の認証機能を有し複数の機器を制御可能なリモコン装置とを用いて、当該既存の機器を遠隔制御するための機器の遠隔制御システムを提供することである。
【０００９】
その第２の目的は、複数の機器を制御可能なリモコン装置に対して、既存の機器を制御対象とするための情報を発信する光信号発信装置を提供することである。
【課題を解決するための手段】
【００１０】
上記の課題を解決するために、この発明のある局面に従うと、機器の遠隔制御システムが提供される。このシステムは、被制御機器を備える。被制御機器は、被制御機器の動作を制御するための制御信号を受信する受信部と、制御信号によって規定される動作を被制御機器に実行させる制御手段とを含む。このシステムは、光信号を発信する光信号発信装置をさらに備える。光信号発信装置は、光信号発信装置を識別するための識別情報を格納する記憶部と、識別情報を含む光信号を生成する光信号生成手段と、生成手段により生成された光信号を点滅光として発信する発信手段とを含む。このシステムは、リモコン装置をさらに備える。リモコン装置は、被制御機器を撮影して映像信号を出力する撮像手段を含む。撮像手段は複数の画素を有する。リモコン装置は、画像を表示領域に表示する表示手段と、複数の画素の各々からの信号をそれぞれ読み出す駆動手段とを含む。駆動手段は、表示領域に応じて予め定められた部分領域に対応する複数の画素の各々からの各信号を読み出し、かつ、表示領域の全体に対応する各画素を読み出す場合よりも高速に、部分領域に対応する各画素からの信号を読み出する。リモコン装置は、被制御機器の撮影に応答して部分領域に対応する各画素から読み出される信号に基づいて、点滅光の点滅状況を検出する検出手段と、点滅状況に基づいて識別情報を取得する識別情報取得手段と、複数の被制御機器の各々によって実現される各動作を規定するための複数の制御データを格納する制御データ記憶手段とを含む。各制御データと識別情報とは関連付けられている。リモコン装置は、制御データ記憶手段に格納されている各制御データの中から、識別情報に関連付けられている制御データを取得する制御データ取得手段と、指示の入力を受け付ける入力手段と、被制御機器による動作を指令する指示の入力が入力手段により受け付けられたことに応答して、制御データ取得手段により取得された制御データを用いて被制御機器の動作を制御するための制御信号を生成する生成手段と、生成手段によって生成された制御信号を出力する出力手段とを含む。
【００１１】
この発明の他の局面に従う機器の遠隔制御システムは、光信号を発信する光信号発信装置を備える。光信号発信装置は、光信号発信装置を識別するための識別情報を格納する記憶部と、識別情報を含む光信号を生成する光信号生成手段と、生成手段により生成された光信号を点滅光として発信する発信手段とを含む。当該機器の遠隔制御システムは、被制御機器を遠隔操作するためのリモコン装置をさらに備える。被制御機器は、リモコン装置により送信された制御信号を受信すると制御信号によって規定される動作を実行する。リモコン装置は、被制御機器を撮影して映像信号を出力する撮像手段を含み、撮像手段は複数の画素を有している。リモコン装置は、画像を表示領域に表示する表示手段と、複数の画素の各々からの信号をそれぞれ読み出す駆動手段とを含む。駆動手段は、表示領域に応じて予め定められた部分領域に対応する複数の画素の各々からの各信号を読み出し、かつ、表示領域の全体に対応する各画素を読み出す場合よりも高速に、部分領域に対応する各画素からの信号を読み出す。リモコン装置は、被制御機器の撮影に応答して部分領域に対応する各画素から読み出される信号に基づいて、点滅光の点滅状況を検出する検出手段と、点滅状況に基づいて識別情報を取得する識別情報取得手段と、複数の被制御機器の各々によって実現される各動作を規定するための複数の制御データを格納する制御データ記憶手段とを含む。各制御データと識別情報とは関連付けられている。リモコン装置は、制御データ記憶手段に格納されている各制御データの中から、識別情報に関連付けられている制御データを取得する制御データ取得手段と、指示の入力を受け付ける入力手段と、被制御機器による動作を指令する指示の入力が入力手段により受け付けられたことに応答して、制御データ取得手段により取得された制御データを用いて被制御機器の動作を制御するための制御信号を生成する生成手段と、生成手段によって生成された制御信号を出力する出力手段とを含む。
【００１２】
この発明の他の局面に従う機器の遠隔制御システムは、被制御機器を備える。被制御機器は、被制御機器の動作を制御するための制御信号を受信する制御信号受信部と、制御信号によって規定される動作を被制御機器に実行させる制御手段とを含む。このシステムは、光信号を発信する光信号発信装置をさらに備える。光信号発信装置は、光信号発信装置を識別するための識別情報を格納する記憶部と、識別情報を含む光信号を生成する光信号生成手段と、生成手段により生成された光信号を点滅光として発信する発信手段とを含む。このシステムは、リモコン装置をさらに備える。リモコン装置は、光信号発信装置により発信された光信号を受信する受光手段と、受光手段により受信された光信号を解析して識別情報を取得する解析手段と、解析手段により取得された識別情報に基づいて、被制御機器によって実現される動作を規定するための制御データを取得する制御データ取得手段と、外部から指示の入力を受け付ける入力手段と、取得手段により取得された制御データと指示とに基づいて、被制御機器の動作を制御するための制御信号を生成する制御信号生成手段と、制御信号生成手段によって生成された制御信号を出力する出力手段とを含む。
【００１３】
この発明の他の局面に従う機器の遠隔制御システムは、光信号を発信する光信号発信装置を備える。光信号発信装置は、光信号発信装置を識別するための識別情報を格納する記憶部と、識別情報を含む光信号を生成する光信号生成手段と、生成手段により生成された光信号を点滅光として発信する発信手段とを含む。機器の遠隔制御システムは、被制御機器を遠隔操作するためのリモコン装置をさらに備える。被制御機器は、リモコン装置により送信された制御信号を受信すると制御信号によって規定される動作を実行する。リモコン装置は、光信号発信装置により発信された光信号を受信する受光手段と、受光手段により受信された光信号を解析して識別情報を取得する解析手段と、解析手段により取得された識別情報に基づいて、被制御機器によって実現される動作を規定するための制御データを取得する制御データ取得手段と、外部から指示の入力を受け付ける入力手段と、取得手段により取得された制御データと指示とに基づいて、被制御機器の動作を制御するための制御信号を生成する制御信号生成手段と、制御信号生成手段によって生成された制御信号を出力する出力手段とを含む。
【００１４】
好ましくは、リモコン装置は、入力手段を介して入力された指示に基づいて、識別情報の送信の要求を含む要求信号を生成する要求信号生成手段と、要求信号を発信する発信手段とをさらに含む。光信号発信装置は、要求信号を受信する受信手段と、受信手段により受信された要求信号から、識別情報の送信の要求を取得する要求取得手段とをさらに含む。光信号生成手段は、送信の要求が取得されたことに応答して光信号を生成する。
【００１５】
好ましくは、要求信号の発信のために発信手段によって使用される素子と、制御信号の出力のために出力手段によって使用される素子とは同一である。
【００１６】
好ましくは、光信号発信装置は、リモコン装置により出力された制御信号を受信する受信手段と、受信手段によって受信された制御信号を被制御機器の制御信号受信部に向けて発信する制御信号発信手段とをさらに含む。
【００１７】
好ましくは、制御信号発信手段は、制御信号受信部の前面に配置されている。
好ましくは、受光手段は、被制御機器を撮影して映像信号を出力する撮像手段を含み、撮像手段は複数の画素を有する。リモコン装置は、画像を表示領域に表示する表示手段と、複数の画素の各々からの各信号を読み出す駆動手段とをさらに含む。駆動手段は、表示領域に応じて予め定められた部分領域に対応する複数の画素の各々からの各信号を読み出し、かつ、表示領域の全体に対応する各画素を読み出す場合よりも高速に、部分領域に対応する各画素からの信号を読み出す。解析手段は、被制御機器の撮影に応答して部分領域に対応する各画素から読み出される信号に基づいて、点滅光の点滅状況を検出する検出手段と、点滅状況に基づいて識別情報を取得する識別情報取得手段とを含む。
【００１８】
好ましくは、リモコン装置は、複数の被制御機器の各々によって実現される各動作を規定するための複数の制御データを格納する制御データ記憶手段をさらに含む。制御データと識別情報とは関連付けられている。制御データ取得手段は、制御データ記憶手段に格納されている各制御データの中から、識別情報に関連付けられている制御データを取得する。
【００１９】
好ましくは、リモコン装置は、通信回線を介して、複数の被制御機器の各々によって実現される各動作を規定するための複数の制御データを提供する情報提供装置と通信する通信手段をさらに含む。制御データ取得手段は、情報提供装置に識別情報を送信することにより、被制御機器の制御データを取得する。
【００２０】
この発明の他の局面に従うと、リモコン装置に光信号を発信するための光信号発信装置が提供される。リモコン装置は、光信号発信装置に対応付けられている被制御機器を識別するための識別情報を含む点滅光を光信号発信装置から受信し、点滅光から識別情報を取得し、被制御機器の動作を制御するために識別情報に関連付けられている制御データを被制御機器に送信可能である。光信号発信装置は、被制御機器に光信号発信装置を取り付けるための装着手段と、識別情報を格納する記憶部と、識別情報を含む光信号を生成する生成手段と、生成手段により生成された光信号を点滅光として発信する発信手段とを備える。
【００２１】
この発明のさらに他の局面に従う光信号発信装置は、リモコン装置に光信号を発信する。リモコン装置は、光信号発信装置に関連付けられる特定情報を含む点滅光を光信号発信装置から受信し、点滅光から特定情報を取得し、被制御機器の動作を制御するために特定情報に関連付けられている制御データを被制御機器に送信可能である。光信号発信装置は、特定情報を格納する記憶部と、特定情報を含む光信号を生成する生成手段と、生成手段により生成された光信号を点滅光として発信する発信手段とを備える。
【００２２】
好ましくは、特定情報は、光信号発信装置に対応付けられている被制御機器を識別するための情報を含む。
【００２３】
好ましくは、特定情報は、光信号発信装置を識別するための情報を含む。
好ましくは、光信号発信装置は、外部から情報の入力を受け付ける入力手段をさらに備える。記憶部は、入力手段を介して入力された情報を特定情報として格納する。
【００２４】
好ましくは、光信号発信装置は、被制御機器に光信号発信装置を取り付けるための装着手段をさらに備える。
【００２５】
好ましくは、光信号発信装置は、識別情報の送信の要求を含む要求信号を受信する受信手段をさらに備える。要求信号は、リモコン装置により送信される。光信号発信装置は、受信手段により受信された要求信号から、識別情報の送信の要求を取得する要求取得手段を備える。生成手段は、送信の要求が取得されたことに応答して光信号を生成する。
【００２６】
好ましくは、被制御機器は，被制御機器の動作を制御するためにリモコン装置により送信される制御信号を受信する制御信号受信部を備える。光信号発信装置は、リモコン装置により出力された制御信号を受信する受信手段と、受信手段によって受信された制御信号を制御信号受信部に向けて発信する制御信号発信手段とをさらに備える。
【００２７】
好ましくは、光信号発信装置は、制御信号受信部の前面に光信号発信装置を取り付けるための装着手段をさらに備える。
【発明の効果】
【００２８】
本発明に係る機器の遠隔制御システムによると、既存の機器に関連付けられた光信号発信装置が当該装置を識別するための情報を光信号として発信する。リモコン装置は、当該光信号に基づいて光信号発信装置を認識し、光信号発信装置に関連付けられている機器の動作を制御するための制御情報を取得する。機器を制御するための指示がリモコン装置に入力されると、リモコン装置は、制御情報を用いて当該機器を制御するための制御信号を生成し、発信する。このようにすると、たとえば識別情報を発信する機能を有さない従来の機器を、複数の機器を遠隔操作可能なリモコン装置による制御対象とすることができる。
【００２９】
本発明に係る光信号発信装置によると、内蔵する記憶部に保持されている識別情報が光信号として発信される。その信号を受信するリモコン装置は、当該光信号発信装置が関連付けられている機器を制御するための制御情報を取得できる。リモコン装置は、制御情報を用いて機器を制御する信号を生成し、たとえば赤外線光として発信する。光信号発信装置を既存の機器に取り付けることにより、当該機器を、複数の機器を制御可能なリモコン装置の制御対象とすることができる。したがって、完成された機器の設計を変更することなく、簡易に機器のユーザの操作性あるいは利便性を向上させることができる。
【発明を実施するための最良の形態】
【００３０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３１】
＜第１の実施の形態＞
図１を参照して、本発明の第１の実施の形態に係るリモコンアダプタ２００の使用態様について説明する。図１は、リモコンアダプタ２００が装着された電子機器が配置されている部屋１０を表わす図である。
【００３２】
部屋１０には、テレビ１００と、ＨＤＤレコーダ１２０と、エアコン１１０とが配置されている。テレビ１００とＨＤＤレコーダ１２０とは、ケーブル１０４を介して接続されている。テレビ１００の前面パネルには、本発明の第１の実施の形態に係るリモコンアダプタ２００ａが装着されている。同様に、エアコン１１０の前面には、本実施の形態に係るリモコンアダプタ２００ｂが装着されている。リモコンアダプタ２００ａ，２００ｂは、総称されるときは、リモコンアダプタ２００と表わす。リモコンアダプタ２００ａは、リモコンアダプタ２００ａを識別するための識別情報が含まれた光信号を点滅光１５２として発信する。
【００３３】
部屋１０には、さらにリモコン装置１３０が配置されている。リモコン装置１３０は、電子機器の動作を制御するための信号を出力する発光部１４０と、被写体を撮像して映像信号を取得するためのカメラ１５０とを備える。発光部１４０は、予め定められた角度に従ってリモコン信号１４２を照射する。リモコン信号１４２は、たとえば赤外線光である。
【００３４】
図２を参照して、本実施の形態に係るリモコンアダプタ２００の取り付け態様について説明する。図２は、リモコンアダプタ２００ａのテレビ１００に対する取り付けの一態様を表わす図である。
【００３５】
リモコンアダプタ２００ａは、たとえば粘着テープ、着脱自在の布製のテープその他の取付け部材（図示しない）を介してテレビ１００の前面に取り付けられている。リモコンアダプタ２００ａは、外部からリモコンアダプタ２００ａのＩＤ（Identification）を要求するＩＤ要求信号を受信する受信部２１０と、その要求に応じてＩＤ信号を発信する発信部２２０とを備える。テレビ１００の前面（すなわちディスプレイ（図示しない）が配置されている面と同一の面）には、リモコン装置１３０により送信された制御信号を受信するための受光部１０２が配置されている。テレビ１００は、さらに、映像を表示するディスプレイ１０７と、受光部１０２により受信された制御信号に基づいてテレビ１００の動作を制御する制御回路１０３と、制御回路１０３から出力される信号に基づいて映像信号をディスプレイ１０７に送出して映像の表示を実現するドライバ１０５とを含む。制御回路１０３は、制御信号がチャンネルの選択指示を含む場合には、チューナ（図示しない）に対して選局指令を出力する。制御回路１０３は、制御信号が音量のアップ指示あるいはダウン指示を含む場合には、当該指示に基づいてアンプ（図示しない）に対して音声信号を強くする指示あるいは弱くする指示を送出する。なお、テレビ１００の動作は、周知であるため、ここでは、詳細な説明は繰り返さない。
【００３６】
なお、リモコンアダプタ２００が取付けられる位置は、被制御機器の前面に限られない。後述のように、リモコン装置１３０は、リモコンアダプタ２００から発信される光ＩＤ信号を受信し、その信号に含まれる情報を取得し、その情報に基づいてリモコンアダプタ２００を認識する。したがって、リモコン装置１３０のユーザがリモコンアダプタ２００を撮影可能な位置、換言すれば、機器の近傍に取付けられていればよい。たとえば、リモコン装置１３０の前面においては、たとえば当該機器に固有なリモコン装置からの信号を受信する受光部の近傍が好ましい。
【００３７】
また、取り付け態様は、上記のものに限られない。磁石でもよいし、据え置き型のものでもよい。磁石の場合は、たとえばエアコン１１０のように高所に設置される機器にリモコンアダプタ２００を取り付ける場合には、取り付けを確実にするために、磁石あるいは粘着テープなどが好ましい。ＨＤＤレコーダ１２０のように台に設置されるような機器の場合は、磁石、テープに加えて、据付型のリモコンアダプタであってもよい。
【００３８】
図３を参照して、リモコンアダプタ２００の構成について説明する。図３は、リモコンアダプタ２００の機能的構成を表わすブロック図である。リモコンアダプタ２００は、受信部２１０と、処理部３２０と、記憶部３３０と、信号生成部３４０と、発信部２２０とを備える。
【００３９】
受信部２１０は、リモコン装置１３０により送信された信号を受信し、処理部３２０に対して転送する。処理部３２０は、その信号に含まれている情報を取得する。この情報には、リモコンアダプタ２００を識別するためのデータの要求が含まれている。処理部３２０は、取得した情報を信号生成部３４０に対して送出する。記憶部３３０は、リモコンアダプタ２００を識別するためのデータを予め格納している。信号生成部３４０は、記憶部３３０の格納されているデータに基づいてリモコン装置１３０に対して送信するためのＩＤ信号を生成する。信号生成部３４０は、その信号を発信部２２０に対して送出する。発信部２２０は、予め定められた点滅間隔に従って、その信号を光信号として発信する。当該光信号は、たとえば図１に示される点滅光１５２に相当する。発信部２２０は、たとえばＬＥＤ（Light  Emitting  Diode）等を含む。
【００４０】
図４を参照して、リモコンアダプタ２００の構成についてさらに説明する。図４は、リモコンアダプタ２００のハードウェア構成を表わすブロック図である。リモコンアダプタ２００は、外部から信号の入力を受け付ける受信回路４１０と、データを不揮発的に格納するためのフラッシュメモリ４３０と、受信回路４１０により受信された信号とフラッシュメモリ４３０に格納されているデータとに基づいてリモコン装置１３０に対して送信される信号を生成するための制御回路４２０と、制御回路４２０により生成された信号を発信するための発信回路４４０と、リモコンアダプタ２００を駆動するための電力を供給するバッテリ４５０とを含む。制御回路４２０は、受信回路４１０から送出された信号の入力を受けて、当該信号に含まれる情報を取得する受信信号処理回路４２２と、受信信号処理回路４２２により取得された情報（たとえば識別情報の送信指令）とフラッシュメモリ４３０に格納されているデータとに基づいて光信号として送信される識別情報を生成する光ＩＤ信号生成回路４２４とを含む。
【００４１】
図５を参照して、リモコンアダプタ２００のデータ構造について説明する。図５は、フラッシュメモリ４３０におけるデータの格納の一態様を表わす図である。フラッシュメモリ４３０は、データを格納する領域５１０，５２０を含む。リモコンアダプタ２００を識別するためのアダプタコードは、領域５１０に格納されている。リモコンアダプタ２００の製造時に製造者によって採番される製造番号は、領域５２０に格納されている。リモコンアダプタ２００は、アダプタコードと製造番号とによって特定される。これらのデータが光ＩＤ信号生成回路４２４によって読み取られ、光信号が生成される。
【００４２】
なお、リモコンアダプタ２００を特定するためにフラッシュメモリ４３０に格納されるデータは、図５に示されるものに限られず、またデータは書き替え可能であってもよい。データを変更する場合の態様は、後述する。
【００４３】
図６を参照して、本実施の形態に係るリモコンアダプタ２００の制御構造について説明する。図６は、制御回路４２０が実行する処理の手順を表わすフローチャートである。この処理は、たとえばリモコンアダプタ２００がいわゆるスリープモードである場合において外部から特定の波長を有する赤外線光が入力された場合に実行される。
【００４４】
ステップＳ６１０にて、制御回路４２０は、受信回路４１０により受信された信号に基づいてＩＤ信号を要求する要求信号の受信を検知する。要求信号は、たとえばユーザがリモコン装置１３０において、ＩＤ信号を要求するための指示を入力した場合に、リモコン装置１３０から発信される。このとき、リモコン装置１３０は、当該要求信号を含む信号を生成し、発光部１４０を介して出力する。
【００４５】
ステップＳ６２０にて、制御回路４２０は、フラッシュメモリ４３０に格納されている識別データ（たとえばアダプタコード、製造番号等）を読み出す。ステップＳ６３０にて、制御回路４２０は、その読み出した識別データを含むＩＤ信号を生成する。ステップＳ６４０にて、制御回路４２０は、発信回路４４０に、ＩＤ信号を点滅する光信号として、発信させる。これにより、リモコンアダプタ２００は、自己を識別するための情報を含む信号を光信号として予め定められた方向に照射する。
【００４６】
図７を参照して、リモコンアダプタ２００によって発信される光ＩＤ信号７００の構成について説明する。図７は、光ＩＤ信号７００の構成を概念的に表わす図である。光ＩＤ信号７００は、データを格納する領域７１０，７２０，７３０を含む。
【００４７】
光ＩＤ信号７００の先頭を表わす開始ビットは、領域７１０に格納されている。リモコンアダプタ２００の識別データは、領域７２０に格納されている。光ＩＤ信号７００の終わりを表わす終了ビットは、領域７３０に格納されている。図７に示される光ＩＤ信号７００は、リモコンアダプタ２００から周期的に発信される。光ＩＤ信号７００は、予め定められた時間、たとえばスリープモードが解除されてから一定の時間発信される。この場合、各光ＩＤ信号７００の先頭は、当該開始ビットにより特定されるため、このような信号を受信するリモコン装置１３０は、光ＩＤ信号７００の先頭を容易に特定することができる。
【００４８】
図８および図９を参照して、本実施の形態に係るリモコン装置１３０について説明する。図８は、リモコン装置１３０の外観を表わす図である。
【００４９】
リモコン装置１３０は、被写体を撮影して映像信号を出力するカメラ１５０と、被制御機器に対して制御信号を発光する発光部１４０と、ディスプレイ８０２と、外部から指示の入力を受けてその入力に応じた信号を出力する操作部８４０とを含む。カメラ１５０は、たとえば光電変換機能を有する受光素子と、ＣＣＤ（Charge  Coupled  Device）等の信号転送機能を有する素子により実現される。ディスプレイ８０２は、液晶ディスプレイあるいは有機ＥＬ（Electro  Luminescent）ディスプレイ等により実現される。
【００５０】
操作部８４０は、たとえばボタンあるいはダイヤルによって実現される。操作部８４０は、ディスプレイ８０２に表示されるカーソルの上下および左右方向を規定するカーソルボタン８０４ａ，８０４ｂ，８０４ｃ，８０４ｄと、リモコン装置１３０の使用者により入力されたデータを確定するための指示の入力を受け付ける決定ボタン８１４と、出力される制御信号の値をアップあるいはダウンさせるためのアップダウンボタン８０８と、数字ボタン８０６とを含む。アップダウンボタン８０８は、第１のアップボタン８１８ａと、第１のダウンボタン８１８ｂと、第２のアップボタン８２８ａと、第２のダウンボタン８２８ｂとを含む。
【００５１】
図９は、リモコン装置１３０のハードウェア構成を表わすブロック図である。リモコン装置１３０は、カメラ１５０と、カメラ１５０から出力される信号の入力を受け付ける駆動回路９１０と、外部から指示の入力を受け付ける操作部８４０と、外部から入力されるデータまたは指令に基づいてリモコン装置１３０が予め定められた処理を実行するための信号を生成する制御回路９２０と、データの書き込みおよび読み出しが可能なメモリ８２０と、制御回路９２０により生成される信号に基づいて画像を表示するディスプレイ８０２と、制御回路９２０により生成される信号を出力する発光部１４０とを含む。
【００５２】
駆動回路９１０により生成された信号は、制御回路９２０に入力される。制御回路９２０は、その信号に対して予め定められた画像処理を実行し、ディスプレイ８０２に画像を表示するためのデータを生成する。操作部８４０は、入力される指示に応じて電気信号を制御回路９２０に対して出力する。制御回路９２０は、その信号に応じて予め定められた処理を実行する。カメラ１５０は、被制御機器とリモコン装置１３０との間で予め定められた制御信号が含まれる光信号を受け付ける。カメラ１５０は、光電変換機能を有し、当該機能に基づいて、その信号を電気信号に変換して、変換後の信号を駆動回路９１０に送出する。
【００５３】
メモリ８２０は、不揮発的にデータを格納するメモリである。メモリ８２０は、たとえばフラッシュメモリにより実現される。メモリ８２０は、制御回路９２０から被制御機器の機能を特定するためのデータの入力を受け、予め定められた領域に書き込む。
【００５４】
制御回路９２０は、リモコン装置１３０が当該被制御機器のためのリモコンとして機能する場合には、メモリ８２０の領域に格納されているデータに基づいて予め定められた処理を実行させるための信号を生成する。制御回路９２０は、その生成した信号を発光部１４０に対して送出する。制御回路９２０は、各処理を実行するように予め構成された回路素子により実現される場合もあれば、各処理を実現するためのプログラムをＣＰＵ（Central  Processing  Unit）その他の演算処理装置に実行させることにより実現される場合もある。
【００５５】
発光部１４０は、制御回路９２０から出力された制御信号を外部に対して送出する。発光部１４０は、ある局面においては赤外線信号を発信する。また他の局面においては、発光部１４０は、たとえば通信回線に接続されて制御信号をパケットとして送信するための処理を実行する。制御信号の出力の態様は、赤外線信号に限られず、たとえばBluetooth（登録商標）その他の無線通信技術に従う送信であってもよい。
【００５６】
図１０を参照して、本実施の形態に係る駆動回路９１０についてさらに説明する。図１０は、駆動回路９１０の具体的構成を表わすブロック図である。駆動回路９１０は、入力される信号を解析して、当該信号に含まれる情報、たとえば信号の送信元を特定するための識別情報等を取得する。
【００５７】
駆動回路９１０は、カメラ１５０からの映像信号の入力を受け、その信号を格納するバッファ９０２と、バッファ９０２に対してディスプレイ８０２における表示領域と対応して定められている全体の領域に応じたデータを読み出す全体領域読出回路９０８と、ディスプレイ８０２において表示領域の一部の領域として定められている部分領域に応じた領域としてバッファ９０２に定められている部分領域９０４に格納されているデータを読み出す部分領域読出回路９０６とを含む。
【００５８】
全体領域読出回路９０８は、バッファ９０２に格納されている信号を予め定められた処理速度に従って読み出す。読み出された信号は、制御回路９２０に送出される。ディスプレイ８０２がこの信号に基づいて画像を表示するとき、カメラ１５０により撮影された被写体の画像全体が、ディスプレイ８０２における表示領域全体に表示される。
【００５９】
部分領域読出回路９０６は、バッファ９０２における部分領域９０４に格納されている信号を読み出す。この場合、読み出しの速度は、バッファ９０２の全体の領域から読み出す速度よりも高速になる。すなわち、部分領域読出回路９０６による読み出し処理の対象となる領域が、全体領域読出回路９０８による読み出し処理の対象となる領域よりも小さいため、部分領域９０４に格納されている信号は、全体の領域に対応する信号よりも高速に読み出される。部分領域読出回路９０６は、全体領域読出回路９０８よりも高速に逐次データを読み出し、制御回路９２０に対して送出する。
【００６０】
このようにすると、制御回路９２０は、カメラ１５０により撮影される映像に基づいて通常の画像処理よりも高速に信号の読み出し処理を実行することができる。その結果、被写体が静止している場合であっても、被写体により発信される信号たとえば赤外線光は、カメラ１５０において予め定められた部分領域にて撮影されることにより、その信号に基づく情報の取得が可能になる。
【００６１】
次に、図１１を参照して、リモコン装置１３０の制御回路９２０の機能的構成について説明する。図１１は、制御回路９２０の機能ブロック図である。
【００６２】
制御回路９２０は、外部から信号の入力を受ける入力部１１１０と、入力部１１１０により入力を受けられた信号に基づいてその信号に格納されている情報を検出する検出部１１２０と、検出された信号から特定の情報を取得する取得部１１３０と、取得された情報に基づいて認証された情報を格納するための処理を実行する認証情報書込部１１４０と、データを格納する記憶部１１５０と、入力部１１１０を介した入力に基づいて記憶部１１５０に格納されているデータを読み出す読出部１１６０と、読出部１１６０により読み出されたデータに基づいて被制御機器を制御するための信号を生成する信号生成部１１７０と、信号生成部１１７０により生成された信号を出力する出力部１１８０とを含む。
【００６３】
図１２を参照して、リモコン装置１３０のデータ構造について説明する。図１２は、リモコン装置１３０が制御対象としてエアコン１１０を認証した場合にメモリ８２０に格納されるデータを表わす図である。メモリ８２０は、データを格納する領域１２１０〜１２５０を含む。
【００６４】
エアコン１１０のメーカーコード（ＸＹＺ）は、領域１２１０に格納されている。エアコン１１０の機器番号（ＡＩＲ  ＣＯＮＤＩＴＩＯＮＥＲ  １００）は、領域１２２０に格納されている。製造番号（０１２３４５６７）は、領域１２３０に格納されている。
【００６５】
また、メモリ８２０において、リモコン装置１３０の操作部８４０として設けられているボタンと、そのボタンの押下時の動作とは、それぞれ関連付けられている。たとえば領域１２４０に含まれる「カーソルアップボタン」（図８におけるカーソルボタン８０４ａ）は、その押下時に動作モードとして送風、冷房、除湿、暖房の順に切り換えるように設定されている。
【００６６】
また、「第１のアップボタン」（図８におけるアップボタン８１８ａ）は、その押下時にエアコン１１０の設定温度を１℃上げるための制御信号を出力するように設定されている。同様に「第２のアップボタン」（同アップボタン８２８ａ）は、エアコン１１０のタイマ設定時間を１時間増やすための制御信号を出力するように設定されている。
【００６７】
一方、数字ボタン「１」〜「０」は、そのボタンが押下されても何らの制御信号も出力しないように設定されている。具体的には、当該ボタンの押下に応じて出力される信号が「無効」であることを表わす信号が関連付けられている。このようにすると、当該ボタンの押下と、特定の動作とが関連付けられなくなるため、誤って数字ボタンが押下された場合であっても、制御信号が出力されなくなり、誤動作が防止される。誤動作を防止するための上記のような設定は、数字ボタン以外のボタンに対しても、リモコン装置１３０が対応付けられる被制御機器に応じて適用可能である。
【００６８】
図１３を参照して、本実施の形態に係るリモコン装置１３０の制御構造について説明する。図１３は、被制御機器を認証するために制御回路９２０が実行する処理の手順を表わすフローチャートである。
【００６９】
ステップＳ１３０２にて、制御回路９２０は、操作部８４０を介して入力されたユーザの指示に基づいてリモコンアダプタの識別情報の送信を要求するＩＤ要求信号を生成する。ステップＳ１３０４にて、制御回路９２０は、発光部１４０を介して、ＩＤ要求信号を発信する。ＩＤ要求信号は、予め定められた照射範囲内で発信される。この範囲内にリモコンアダプタが存在する場合には、ＩＤ要求信号が当該リモコンアダプタによって受信され（ステップＳ６１０）、リモコンアダプタは識別情報を含む光信号を発信することになる。
【００７０】
ステップＳ１３１０にて、制御回路９２０は、エアコン１１０の近傍に取り付けられたリモコンアダプタ２００ｂによって発信された点滅光を受信する。ステップＳ１３２０にて、制御回路９２０は、イメージセンサとして機能するカメラ１５０の中央部において取得された信号を読み出す。ステップＳ１３３０にて、制御回路９２０は、その信号の開始ビットを検出することにより、その信号の先頭を認識する。ステップＳ１３４０にて、制御回路９２０は、カメラ１５０により最後に取得された画像データに基づいて、リモコンアダプタ２００ｂを含むエアコン１１０の画像をディスプレイ８０２に表示させる。
【００７１】
ステップＳ１３５０にて、制御回路９２０は、取得された情報からリモコンアダプタ２００ｂの識別情報を取得する。ステップＳ１３６０にて、制御回路９２０は、その取得した識別情報を、認証処理のためにメモリ８２０において確保された領域に格納する。
【００７２】
ステップＳ１３７０にて、制御回路９２０は、その識別情報に基づいてリモコンアダプタ２００ｂに関連付けられているエアコン１１０の制御項目を取得する。ここで、制御項目とは、エアコン１１０が実行可能な機能のうち、リモコン装置１３０により制御され得る処理項目をいう。ステップＳ１３８０にて、制御回路９２０は、その取得した制御項目をメモリ８２０において予め確保されたデータ領域に格納する。
【００７３】
ここで、図１４を参照して、リモコン装置１３０のディスプレイ８０２における表示態様について説明する。図１４は、リモコン装置１３０がエアコン１１０の認証処理を行なっている時にディスプレイ８０２に表示される画像を表わす図である。
【００７４】
リモコン装置１３０は、ディスプレイ８０２においてエアコン１１０の画像１４１０と、リモコンアダプタ２００ｂの画像１４２０とを表示する。このとき、リモコン装置１３０は、認証処理が行われていることを表わすメッセージ１４００を表示する。したがって、リモコン装置１３０のユーザは、リモコン装置１３０が現在どのような状態であるかを容易に認識することができる。
【００７５】
次に、図１５を参照して、リモコン装置１３０の制御構造について再び説明する。図１５は、被制御機器を制御するためにリモコン装置１３０が実行する処理の手順を表わすフローチャートである。この処理は、使用者がリモコン装置１３０を、特定の被制御機器（たとえばＨＤＤレコーダ１２０、テレビ１００、エアコン１１０）専用のリモコン装置として使用した場合に実行される。
【００７６】
ステップＳ１５１０にて、制御回路９２０は、操作部８４０を介した入力に基づいてボタンの押下を検知する。ステップＳ１５２０にて、制御回路９２０は、その操作部８４０からの信号に基づいて、認証された機器の情報がメモリ８２０に存在しているか否かを判断する。その情報がメモリ８２０に存在している場合には（ステップＳ１５２０にてＹＥＳ）、処理はステップＳ１５３０に移される。そうでない場合には（ステップＳ１５２０にてＮＯ）、処理はステップＳ１５７０に移される。
【００７７】
ステップＳ１５３０にて、制御回路９２０は、認証された機器の情報をディスプレイ８０２に出力する。ディスプレイ８０２は、その機器の情報を表示する。この表示態様については、図１６を参照して説明する。
【００７８】
ステップＳ１５４０にて、制御回路９２０は、メモリ８２０に格納されている、押下されたボタンに対応するモードを表わすデータを読み出す。ステップＳ１５５０にて、制御回路９２０は、そのモードに対応する制御信号を生成する。ステップＳ１５６０にて、制御回路９２０は、その制御信号を赤外線光として、発光部１４０を介して出力する。
【００７９】
ステップＳ１５７０にて、制御回路９２０は、機器が認証されていない旨を通知するメッセージを、ディスプレイ８０２に出力する。ディスプレイ８０２は、そのメッセージを表示領域に表示する。
【００８０】
図１６を参照して、ディスプレイ８０２における画像の表示態様について説明する。図１６は、リモコン装置１３０による認証中に表示される画像を表わす図である。
【００８１】
画像（Ａ）は、被制御機器がリモコン装置１３０によって認証されていない場合に表示される画像を表わす。すなわちディスプレイ８０２は、被制御機器の認証が完了していないこと、および機器の情報の取得を促すメッセージをそれぞれ表示する。この表示は、たとえばメモリ８２０に予めそのデータを格納し、前述のステップＳ１５７０における処理が実行されるときにそのデータを読み出すことにより実現される。このような表示により、リモコン装置１３０の使用者は、認証処理が完了していないことを即座に認識できる。この場合、使用者は、リモコン装置１３０をリモコンアダプタ２００の発信部２２０に向けて光ＩＤ信号７００を取得することにより、被制御機器を認証する処理を確実に実現することができる。
【００８２】
画像（Ｂ）は、被制御機器が認証されている場合に表示される画像を表わす。この場合、リモコン装置１３０は、図１６に示されるように、メモリ８２０に格納されているデータに基づいてディスプレイ８０２にその機器の情報を表示する。画像（Ｂ）に示される例では、認証済みの機器として、メーカーコード「ＸＹＺ」、機器番号「ＡＩＲ  ＣＯＮＤＩＴＩＯＮＥＲ  １００」、製造番号「０１２３４５６７」の機器が認証されていることが表示される。なお、画像（Ｂ）に含まれる情報は、メモリ８２０に格納されているものに限られない。たとえば、当該情報は、光ＩＤ信号に直接含まれていてもよい。このような項目を有する光ＩＤ信号の送信は、リモコン装置１３０のユーザがリモコンアダプタ２００ｂに当該情報を予め入力することにより可能となる。たとえば、ユーザは、リモコンアダプタ２００ｂをエアコン１１０に取り付ける際に、当該情報を入力することができる。
【００８３】
ここで、リモコン装置１３０が他の被制御機器のリモコン装置として機能する場合について説明する。以下では、エアコン１１０のリモコン装置として当初機能していたリモコン装置１３０が、被制御機器を認証する処理を再度行なった後、ＨＤＤレコーダ１２０のリモコン装置として機能する場合について説明する。
【００８４】
そこで、まず、図１７を参照して、リモコン装置１３０におけるデータ構造について説明する。図１７は、ＨＤＤレコーダ１２０を認証した後におけるリモコン装置１３０のメモリ８２０に格納されているデータを概念的に表わす図である。リモコン装置１３０がＨＤＤレコーダ１２０を認証すると、図１２に示されるデータに代えて図１７に示されるデータを使用して、ＨＤＤレコーダ１２０を制御するための信号を生成する。その結果、エアコン１１０を遠隔操作するために機能していたリモコン装置１３０は、ＨＤＤレコーダ１２０のリモコン装置として機能することになる。
【００８５】
具体的には、メモリ８２０は、データを格納する領域１７１０〜１７５０を含む。ＨＤＤレコーダ１２０のメーカーコード「ＡＢＣ」は、領域１７１０に格納されている。ＨＤＤレコーダ１２０の機器番号「ＨＤＤＲＥＣＯＲＤＥＲ−００１」は、領域１７２０に格納されている。ＨＤＤレコーダ１２０の製造番号「１２３４５６７８」は、領域１７３０に格納されている。
【００８６】
リモコン装置１３０の操作部８４０として設けられているそれぞれのボタンを識別する情報は、領域１７４０に格納されている。各々のボタンに応じて関連付けられているそのボタンの押下時の動作モードは、領域１７５０に格納されている。たとえば、数字ボタン「１」は、そのボタンが押下された場合には、「１」のデータを送信するように設定されている。またカーソルアップボタンは、そのボタンが押下された場合には、現在ディスプレイ８０２に表示されている項目の上に表示される項目を選択するための処理を実行するように、設定されている。さらに、たとえば「第１のアップボタン」は、そのボタンが押下された場合には、現在アクティブな項目（すなわち制御可能な項目）の値に「１」を加えた値を送信可能なように設定されている。たとえば第１のアップボタンがチャンネルを選曲するためのボタンとして機能している場合には、第１のアップボタンが押下されると、そのチャンネル番号は、１つアップされる。
【００８７】
領域１７４０に格納されているデータと領域１７５０に格納されているデータとが関連付けられているため、リモコン装置１３０は、各ボタンの押下に応じて被制御機器としてのＨＤＤレコーダ１２０の動作を制御する信号を生成して、発信することができる。
【００８８】
次に、図１８を参照して、リモコン装置１３０の制御構造についてさらに説明する。図１８は、既に被制御機器を認証済みであるリモコン装置１３０が他の被制御機器を認証するために実行する処理の手順を表わすフローチャートである。この処理は、たとえばエアコン１１０を認証済みのリモコン装置１３０の使用者がそのリモコン装置１３０をＨＤＤレコーダ１２０に向けて、ＨＤＤレコーダ１２０の撮影処理を行なう場合に実現される。
【００８９】
ここでは、ＨＤＤレコーダ１２０は、メーカコード、機器番号、製造番号その他の識別情報を含む光ＩＤ信号を点滅光として発信する発光部１２２を有する場合について説明する。なお、ＨＤＤレコーダ１２０は、発光部１２２に代えて、本発明に係るリモコンアダプタ２００を備えていてもよい。
【００９０】
ステップＳ１８１０にて、制御回路９２０は、ＨＤＤレコーダ１１０の発光部１２２によって発信された点滅光をカメラ１５０を介して受光する。ステップＳ１８２０にて、制御回路９２０は、駆動回路９１０を介してイメージセンサ（カメラ１５０）の中央部において取得された信号を読み出す。
【００９１】
ステップＳ１８３０にて、制御回路９２０は、その信号の開始ビットを検出することにより、信号の先頭を認識する。ステップＳ１８４０にて、制御回路９２０は、その信号に含まれている識別情報を取得する。ステップＳ１８５０にて、制御回路９２０は、その識別情報（すなわちＨＤＤレコーダ１２０のメーカーコード、機器番号、製造番号等）をメモリ８２０のデータ領域に書き込む。
【００９２】
ステップＳ１８６０にて、制御回路９２０は、ＨＤＤレコーダ１２０の識別情報に基づいてエアコンの制御項目を取得する。今認証されている被制御機器がＨＤＤレコーダ１２０であるため、その制御項目は、たとえば、録画の開始および終了、再生の開始及び終了その他の録画再生機能に関連する項目、チャンネルの選局あるいはアップおよびダウンその他のテレビ放送の受信機能に関連する項目、操作画面に表示されるカーソルの移動あるいは選択その他データの編集機能に関連する項目等を含む。ステップＳ１８７０にて、制御回路９２０は、その取得した制御項目をメモリ８２０に格納する（図１７）。これにより、その後、リモコン装置１３０に対する指示が操作部８４０を介して入力されると、リモコン装置１３０はＨＤＤレコーダ１２０を制御する信号を生成し、発信することが可能になる。
【００９３】
図１９を参照して、リモコン装置１３０のディスプレイ８０２における画像の表示態様について再び説明する。図１９は、リモコン装置１３０がＨＤＤレコーダ１２０を認識した場合に表示される画像を表わす図である。
【００９４】
使用者がリモコン装置１３０をＨＤＤレコーダ１２０の発光部１２２に向けて信号を受信するための操作を行なうと、リモコン装置１３０は、前述の認証処理を実行し、ＨＤＤレコーダ１２０を認識する。リモコン装置１３０は、ＨＤＤレコーダ１２０から受信された信号に含まれる識別情報を取得すると、その情報をメモリ８２０に書き込む。この場合、他の被制御機器が既に認証されている場合には、メモリ８２０の他のデータ領域に書き込まれる。あるいは、既に書き込まれている領域において、新たに認識された機器についてのデータが上書きされる。
【００９５】
リモコン装置１３０は、認証処理が完了すると、ディスプレイ８０２において新たに機器が認証されたことを通知するメッセージ１９１０を表示する。このとき、ディスプレイ８０２は、認証された被制御機器としてＨＤＤレコーダ１２０についての情報を表示する。このようにすると、リモコン装置１３０の認識状態に応じて具体的な機器の情報が表示されるため、リモコン装置１３０の使用者は、その端末の操作を誤ることなく行なうことができる。
【００９６】
以上のようにして、本発明に係るリモコンアダプタ２００は、リモコン装置の信号に基づいて制御される機器の近傍に取り付けられる。リモコンアダプタ２００は、フラッシュメモリ４３０に格納されている識別情報を点滅する光信号として発信する。識別情報には、リモコンアダプタ２００の製造番号、シリアル番号その他のリモコンアダプタ２００に固有な番号が含まれる。このような情報が含まれる光信号を受信するリモコン装置１３０は、その信号と機器に特定の動作を実行させるための制御情報とを関連付ける。その結果、当該光信号を受信したリモコン装置１３０は、その機器を遠隔操作するための端末として機能することができる。
【００９７】
その後、リモコン装置１３０が、同様の構成を有する光信号を発信する他のリモコンアダプタから光信号を受信すると、リモコン装置１３０は、当該他のリモコンアダプタが取り付けられている他の機器を認証することができる。このようにすると、１台のリモコン装置１３０を複数の機器を制御するための装置として機能することができる。
【００９８】
すなわち、光信号を発信する機能を有さない従来の機器の近傍にリモコンアダプタ２００を取り付けて、機器とリモコンアダプタとを対応付けることにより、当該機器は、リモコン装置１３０による制御の対象となる。したがって、機器そのものの制御構造を変更する必要がなくなるため、１台のリモコン装置１３０によって制御可能な機器を簡易に実現することができる。
【００９９】
＜第１の変形例＞
以下、本実施の形態の第１の変形例について説明する。本変形例に係るリモコンアダプタ２０００は、識別データを変更する機能を有する点で、前述の実施の形態に係るリモコンアダプタ２００と異なる。
【０１００】
図２０を参照して、本変形例に係るリモコンアダプタ２０００の構成について説明する。図２０は、リモコンアダプタ２０００の機能的構成を表わすブロック図である。リモコンアダプタ２０００は、図３に示される構成に加えて、外部から情報の入力を受け付ける入力部２０１０と、入力部２０１０により入力が受け付けられたデータを記憶部３３０に書込む書込部２０２０とを備える。
【０１０１】
入力部２０１０は、たとえばリモコンアダプタ２０００の前面に設けられたタッチパネル式のボタン、あるいはディップスイッチ若しくはジャンパスイッチのように、リモコンアダプタ２０００のユーザがデータを入力するためのものである。入力部２０１０を介して入力されたデータは、書込部２０２０によって、記憶部３３０において識別データが格納されている領域に対して更新される。書込部２０２０は、たとえば、データの更新を実現するために予め定められた処理を実行するように構成された回路素子である。
【０１０２】
その結果、リモコンアダプタ２０００は、自己を特定するためのデータとして、前述のようにリモコンアダプタ２０００の製造者によって予め設定されたデータに代えて、リモコンアダプタ２０００のユーザによって入力されたデータを使用することができる。このようにすると、複数のリモコンアダプタが同一のユーザによって使用される場合に、そのユーザは各リモコンアダプタ２０００を容易に区別できるような名称を付けることができるため、リモコンアダプタの管理を行ないやすくなる。なお、入力されるデータは、数字、文字のいずれであってもよい。
【０１０３】
＜第２の変形例＞
以下、本実施の形態の第２の変形例について説明する。前述のリモコンアダプタにより発信された信号に基づいてリモコン装置１３０が特定の機器のためのリモコンとして機能するためには、その情報が予め取得されている必要がある。本変形例に係るリモコン装置によれば、制御可能な機器のデータを予め保持しており、受信された光ＩＤ信号に含まれる識別情報に合わせて、ユーザが機器を選択するための表示を実現する。リモコン装置のユーザは、その表示を参照して、特定の機器のためのリモコン装置としてその装置を設定することができる。
【０１０４】
図２１を参照して、本変形例に係るリモコン装置のデータ構造について説明する。図２１は、メモリ８２０におけるデータの格納の一態様を表わす図である。メモリ８２０は、データを格納する領域２１１０〜２１６０を含む。
【０１０５】
メモリ８２０に格納されているデータのレコードを特定するためのデータは、領域２１１０に格納されている。リモコン装置１３０によって制御可能な機器のメーカを表わすデータは、領域２１２０に格納されている。その機器を特定するためのデータは、領域２１３０に格納されている。その機器に固有に付けられたＩＤは、領域２１４０に格納されている。領域２１１０から２１４０に格納されているデータは、それぞれ相互に関連付けられている。したがって、領域２１１０に格納されているデータが特定されると、そのデータに基づいて、リモコン装置１３０によって制御される機器の名称、機器のＩＤ、メーカ名も特定される。
【０１０６】
図２１をさらに参照して、メモリ８２０において、リモコンアダプタ２００を特定するためのアダプタＩＤは、領域２１５０に格納されている。リモコンアダプタ２００によって制御される機器を特定するための機器ＩＤは、領域２１６０に格納されている。領域２１５０に格納されているデータと領域２１６０に格納されているデータとは、それぞれ関連付けられている。この関連付けにより、リモコン装置１３０は、特定の機器を制御するためのリモコン装置として機能することができる。
【０１０７】
ここで、図２１に示されるように、リモコン装置１３０がリモコンアダプタ２００を認識する前には、リモコンアダプタ２００の識別情報が取得されないため、領域２１５０には、データが格納されていない。その代わりに、たとえば当該領域にデータが格納されていないことを表わす「ＮＵＬＬ」が格納されている。領域２１６０におけるデータについても同様である。
【０１０８】
次に、図２２を参照して、本変形例に係るリモコン装置１３０の表示態様について説明する。図２２は、ディスプレイ８０２における機器の選択画面の表示を表わす図である。
【０１０９】
ディスプレイ８０２は、メモリ８２０に格納されているデータに基づいてリモコン装置１３０による制御の対象となり得る機器の一覧を表示する。リモコン装置１３０のユーザが表示された機器からいずれかの機器を選択し、その選択の指示をたとえば操作部８４０を介して入力すると、リモコン装置１３０は、選択された機器を制御するためのリモコン装置として機能する。その機能を実現するためのデータは、たとえばメモリ８２０において予め格納されているデータが使用される。
【０１１０】
図２３を参照して、本変形例に係るリモコン装置１３０の制御構造について説明する。図２３は、特定の機器を制御するためのリモコン装置として機器を認証するために制御回路９２０が実行する処理の手順を表わすフローチャートである。
【０１１１】
ステップＳ２３１０にて、制御回路９２０は、テレビ１００の近傍に取り付けられたリモコンアダプタ２００ａから、点滅する光信号を受光する。ステップＳ２３２０にて、制御回路９２０は、駆動回路９１０を介してイメージセンサの中央部から受信した信号を読み出す。ステップＳ２３３０にて、制御回路９２０は、信号の開始ビットを検出してＩＤ信号の先頭を認識する。ステップＳ２３４０にて、制御回路９２０は、最後に取得した画像データに基づいてリモコンアダプタ２００ａを含むテレビ１００の画像を表示する。ステップＳ２３５０にて、制御回路９２０は、光ＩＤ信号７００からリモコンアダプタの識別情報を取得する。
【０１１２】
ステップＳ２３６０にて、制御回路９２０は、取得した情報とメモリ８２０に格納されているデータとに基づいて、リモコンアダプタ２００ａの識別データと機器を選択するための一覧（たとえば図２２）とをディスプレイ８０２に表示させる。ステップＳ２３７０にて、制御回路９２０は、操作部８４０を介して表示された一覧から選択された機器の入力を受け付ける。ステップＳ２３８０にて、制御回路９２０は、識別情報と選択された機器ＩＤとを関連付けて、メモリ８２０において予め確保された領域に格納する。
【０１１３】
以上のようにして、本変形例に係るリモコン装置は、遠隔操作の対象となる複数の機器の情報をメモリに格納している。リモコン装置は、被制御機器に対応付けられたリモコンアダプタ２００からの光ＩＤ信号を受信すると、その信号に含まれている識別情報を取得し、機器と識別情報とを関連付けるための画面を表示する。リモコン装置のユーザが複数の機器からいずれかの機器を選択して、識別情報と当該選択された機器とを関連付けるための指示をリモコン装置に入力すると、その後、リモコン装置は、リモコンアダプタ２００に関連付けられている機器を遠隔操作する装置として作動する。このようにすると、機器を選択するための画面がリモコン装置に表示されるため、ユーザは、機器と識別情報との関連付けを正確に行うことができる。
【０１１４】
＜第２の実施の形態＞
以下、本発明の第２の実施の形態について説明する。本実施の形態に係るリモコンアダプタ２４００は、リモコン装置１３０から受信した制御信号を被制御機器に送信する機能を有する点で、前述の実施の形態に係るリモコンアダプタ２００と異なる。
【０１１５】
図２４を参照して、本実施の形態に係るリモコンアダプタ２４００の取り付け態様について説明する。図２４は、テレビ１００とリモコンアダプタ２４００との位置関係を表わす図である。
【０１１６】
リモコンアダプタ２４００は、制御信号発信部２４２０とリモコン受光部１０２とが対向するように、粘着テープ（図示しない）によってテレビ１００に取り付けられている。すなわち、制御信号発信部２４２０から発信された制御信号は、リモコン受光部１０２に受信される。
【０１１７】
リモコンアダプタ２４００は、図２に示される構成と同様に、リモコン装置１３０により送信された制御信号を受信する受光部２１０と、光ＩＤ信号を点滅光として発信する発信部２２０とを含む。
【０１１８】
図２５を参照して、本実施の形態に係るリモコンアダプタ２４００の構成について説明する。図２５は、リモコンアダプタ２４００によって実現される機能の構成を表わすブロック図である。リモコンアダプタ２４００は、図３に示される構成に加えて、処理部３２０により取得された信号に基づいて機器を制御するための信号を生成する機器制御部２４１０と、機器制御部２４１０により生成された信号を赤外線信号に変換して発信する制御信号発信部２４２０とを備える。
【０１１９】
処理部３２０は、受信部２１０によって受信された信号が、特定の機器を制御するための制御信号であるか否かを検出する。処理部３２０は、当該制御信号の受信を検知すると、その信号を機器制御部２４１０に送出する。
【０１２０】
機器制御部２４１０は、その信号を当該機器に対してリモコンコードとして送信するための信号形式に変換し、制御信号発信部２４２０に向けて送出する。このようにすると、リモコン装置１３０の信号発信機能に関わらず、機器を制御するためにリモコン装置１３０から送出された信号の形式は、当該機器に応じた形式として、制御信号発信部２４２０から発信される。したがって、制御信号の形式の不一致に起因するような機器の誤動作が防止され得る。
【０１２１】
図２６を参照して、リモコンアダプタ２４００の制御構造について説明する。図２６は、機器制御部２４１０が実行する処理の手順を表わすフローチャートである。
【０１２２】
ステップＳ２６１０にて、機器制御部２４１０は、処理部３２０から出力された信号に基づいて、リモコン装置１３０から機器を制御するための信号を受信したことを検知する。たとえば、当該信号であることを表わす情報が、リモコン装置１３０から送信された信号のヘッダに含まれている場合に、当該信号の受信が検知される。
【０１２３】
ステップＳ２６２０にて、機器制御部２４１０は、その制御信号から、被制御機器を制御するための制御データを取得する。機器制御部２４１０は、その機器が受信する信号の形式に合わせて、当該制御データを用いて制御信号を生成する。
【０１２４】
ステップＳ２６３０にて、機器制御部２４１０は、制御信号発信部２４２０を介して、生成した信号を発信する。これにより、リモコン装置１３０により送信された制御信号は、リモコンアダプタ２４００を介してテレビ１００のリモコン受光部１０２に向けて送信されることになる。リモコンアダプタ２４００から送信された制御信号の形式は、テレビ１００が受信する信号の形式に一致する。したがって、テレビ１００は、信号の形式の不一致に基づく誤動作を行なうことなく、その制御信号に含まれる情報によって規定される動作を実行する。
【０１２５】
以上のようにして、本発明の第２の実施の形態に係るリモコンアダプタ２４００は、リモコン装置１３０によって送信された機器の制御信号を中継して、当該機器に向けて再度発信する。このようにすると、リモコン装置１３０による信号の送信機能と機器が受信する信号の形式とが完全に一致していない場合であっても、リモコンアダプタ２４００が機器が受信する信号の形式に変換して発信するため、リモコン装置１３０によって指示された機器の動作を、当該機器に確実に実行させることができる。
【０１２６】
また、リモコンアダプタ２４００が機器のリモコン信号受光部の前面に取り付けられることになるため、リモコンアダプタ２４００と機器とは、外見上、一体化することになる。したがって、従来の機器のユーザはリモコンアダプタ２４００の取り付けによる違和感を覚えにくくなる。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２８】
【図１】本発明の第１の実施の形態に係るリモコンアダプタ２００が装着された電子機器が配置されている部屋１０を表わす図である。
【図２】リモコンアダプタ２００ａのテレビ１００に対する取り付けの一態様を表わす図である。
【図３】リモコンアダプタ２００の機能的構成を表わすブロック図である。
【図４】リモコンアダプタ２００のハードウェア構成を表わすブロック図である。
【図５】フラッシュメモリ４３０におけるデータの格納の一態様を表わす図である。
【図６】制御回路４２０が実行する処理の手順を表わすフローチャートである。
【図７】光ＩＤ信号７００の構成を概念的に表わす図である。
【図８】リモコン装置１３０の外観を表わす図である。
【図９】リモコン装置１３０のハードウェア構成を表わすブロック図である。
【図１０】駆動回路９１０の具体的構成を表わすブロック図である。
【図１１】制御回路９２０の機能的構成を表わすブロック図である。
【図１２】リモコン装置１３０が制御対象としてエアコン１１０を認証した場合にメモリ８２０に格納されるデータを表わす図である。
【図１３】被制御機器を認証するために制御回路９２０が実行する処理の手順を表わすフローチャートである。
【図１４】リモコン装置１３０がエアコン１１０の認証処理を行なっている時にディスプレイ８０２に表示される画像を表わす図である。
【図１５】被制御機器を制御するためにリモコン装置１３０が実行する処理の手順を表わすフローチャートである。
【図１６】リモコン装置１３０による認証中に表示される画像を表わす図である。
【図１７】ＨＤＤレコーダ１２０を認証した後におけるリモコン装置１３０のメモリ８２０に格納されているデータを概念的に表わす図である。
【図１８】既に被制御機器を認証済みであるリモコン装置１３０が他の被制御機器を認証するために実行する処理の手順を表わすフローチャートである。
【図１９】リモコン装置１３０がＨＤＤレコーダ１２０を認識した場合に表示される画像を表わす図である。
【図２０】リモコンアダプタ２０００の機能的構成を表わすブロック図である。
【図２１】メモリ８２０におけるデータの格納の一態様を表わす図である。
【図２２】ディスプレイ８０２における機器の選択画面の表示を表わす図である。
【図２３】特定の機器を制御するためのリモコン装置として機器を認証するために制御回路９２０が実行する処理の手順を表わすフローチャートである。
【図２４】テレビ１００とリモコンアダプタ２４００との位置関係を表わす図である。
【図２５】リモコンアダプタ２４００によって実現される機能の構成を表わすブロック図である。
【図２６】機器制御部２４１０が実行する処理の手順を表わすフローチャートである。
【符号の説明】
【０１２９】
１０  部屋、１００  テレビ、１０２  受光部、１０３  制御回路、１０４  ケーブル、１０５  ドライバ、１０７  ディスプレイ、１１０  エアコン、１２０  ＨＤＤレコーダ、１２２，１４０  発光部、１３０  リモコン装置、１４２  リモコン信号、１５０  カメラ、２００，２００ａ，２００ｂ  リモコンアダプタ、２１０  受信部、２２０  発信部、３２０  処理部、３３０  記憶部、３４０  信号生成部、７００  光ＩＤ信号、８０２  ディスプレイ、８０４ａ，８０４ｂ，８０４ｃ，８０４ｄ  カーソルボタン、８０６  数字ボタン、８０８  アップダウンボタン、８１４  決定ボタン、８１８ａ  第１のアップボタン、８１８ｂ  第２のアップボタン、８２８ａ  第２のアップボタン、８２８ｂ  第２のダウンボタン、８４０  操作部、９０４  部分領域、１４００  メッセージ、１４１０，１４２０  画像。
【図１】
2007089056.tif 000003
【図２】
2007089056.tif 000004
【図３】
2007089056.tif 000005
【図４】
2007089056.tif 000006
【図５】
2007089056.tif 000007
【図６】
2007089056.tif 000008
【図７】
2007089056.tif 000009
【図８】
2007089056.tif 000010
【図９】
2007089056.tif 000011
【図１０】
2007089056.tif 000012
【図１１】
2007089056.tif 000013
【図１２】
2007089056.tif 000014
【図１３】
2007089056.tif 000015
【図１４】
2007089056.tif 000016
【図１５】
2007089056.tif 000017
【図１６】
2007089056.tif 000018
【図１７】
2007089056.tif 000019
【図１８】
2007089056.tif 000020
【図１９】
2007089056.tif 000021
【図２０】
2007089056.tif 000022
【図２１】
2007089056.tif 000023
【図２２】
2007089056.tif 000024
【図２３】
2007089056.tif 000025
【図２４】
2007089056.tif 000026
【図２５】
2007089056.tif 000027
【図２６】
2007089056.tif 000028